(57)【特許請求の範囲】
【請求項１】
機密性を有する廃棄物を収納した回収容器を施錠した状態で廃棄物処理場内に搬入した後、前記回収容器の解錠から前記廃棄物の破砕処理に至るまでの各処理を人手を介することなく行うための機密性を有する廃棄物の処理設備であって、
前記処理場内において前記回収容器を移送させるための搬送装置と、前記搬送装置によって搬送される前記回収容器を通過させて硬質物の混入をチェックする硬質物探知装置と、前記硬質物探知装置を通過した硬質物を含まない前記回収容器の蓋の鍵穴の位置を検出する鍵穴検出装置と、前記鍵穴検出装置により検出された前記鍵穴の位置データに基づいてヘッドが移動して前記回収容器の解錠を行う解錠ロボットと、解錠した前記回収容器をチャックして破砕機のホッパ上に移送し、その位置で前記回収容器を上下反転させる反転ロボットとを備え、更に、前記破砕機のホッパに、上下反転させた前記回収容器内に風圧をかけるブロワーを配備すると共に、前記破砕機のホッパに、前記ブロワーによって風圧をかけた後の前記回収容器内を撮影し、残存物の有無を確認する残存物の有無確認手段を配備してなり、
前記回収容器は、容体と、廃棄物投入口を有し前記容体にヒンジ止めされている蓋体とからなり、前記蓋は前記容体に対して施錠可能であり、前記容体は前記蓋を被着する開口以外に開口を備えておらず、施錠時において、投入された前記廃棄物の視認や取り出しができないものであり、
前記鍵穴検出装置は、進退移動する可動アームを備えていてその先端に取り付けた画像センサによって前記蓋の鍵穴の位置を検出するものであり、
前記解錠ロボットは、解錠動作に伴う前記回収容器の回転を阻止するための回収容器押止手段を備えている
ことを特徴とする機密性を有する廃棄物の処理設備。
【請求項２】
請求項１に記載の機密性を有する廃棄物の処理設備を用いて、廃棄物を収納した回収容器を施錠した状態で廃棄物処理場内に搬入した後、前記回収容器の解錠から前記廃棄物の破砕処理に至るまでの各処理を人手を介することなく行うための方法であって、
前記回収容器を前記廃棄物処理場内に搬入する回収容器の搬入ステップと、
搬送装置上を搬送されてくる前記回収容器を前記硬質物探知装置を通過させることによって硬質物の混入をチェックする硬質物探知ステップと、
前記回収容器を解錠位置に移送した後、蓋の鍵穴の位置を、前記鍵穴検出装置の可動アームを進退させてその先端に装備された画像センサにより検出する鍵穴の検出ステップと、
検出された前記鍵穴の位置データに基づいてヘッドが移動する解錠ロボットにより、前記解錠ロボットが有する回収容器押止手段によって解錠動作に伴う前記回収容器の回転を阻止しつつ前記回収容器の解錠を行う回収容器の解錠ステップと、
解錠した前記回収容器を反転ロボットでチャックして破砕機のホッパ上に移送し、その位置で前記回収容器を上下反転させてそこに収納されている廃棄物を前記ホッパ内に落下させる廃棄物のホッパ内投入ステップと、
上下反転させた前記回収容器内に風圧をかけて容器内残存物を吹き飛ばし落下させるエアブローステップと、
前記回収容器内残存物の有無をチェックする残存物の有無確認ステップと、
前記回収容器を前記反転ロボットでチャックしたまま起こし、前記解錠位置に戻した後搬出する回収容器の搬出ステップとを含み、
前記回収容器は、容体と、廃棄物投入口を有し前記容体にヒンジ止めされている蓋体とからなり、前記蓋は前記容体に対して施錠可能であり、前記容体は前記蓋を被着する開口以外に開口を備えておらず、施錠時において、投入された前記廃棄物の視認や取り出しができないものであることを特徴とする機密性を有する廃棄物の処理方法。
【発明の詳細な説明】
【技術分野】
【０００１】
本発明は、機密性を有する廃棄物の処理方法及び処理設備に関するものであり、より詳細には、蓋が施錠されて処理場内に搬入されてくる機密性を有する廃棄物の回収容器から、そこに収納されている廃棄物を、人目に晒すことなくその機密性を保持したまま取り出して破砕処理部に投入することが可能な、機密性を有する廃棄物の処理方法及び処理設備に関するものである。
【背景技術】
【０００２】
金融機関、保険会社等の事業所や役所、学校、病院等において発生する情報漏洩の７割が内部流出であるとされている。そこで、各事業所等においては、情報漏洩防止のために、不要になった機密書類はシュレッダーにかけて廃棄処分している。しかし、このシュレッダーによる廃棄処分には時間と手間がかかり、そのための人件費が嵩むという問題があるだけでなく、シュレッダー屑は非常に嵩張るため、廃棄書類が大量に出る事業所等においては、袋詰めしたシュレッダー屑の保存・排出に苦労が伴う。
【０００３】
かかる事情に鑑み、機密性を有する廃棄物をシュレッダーにかけることなく廃棄処分することを可能にするための、廃棄文書回収システムの提案がある（特開２００１−３０１９１１号公報）。しかし、この提案に係るシステムの場合は、回収業者は、各オフィスに設置された回収ボックス自体を回収するのではなく、回収ボックス内に配備される回収用袋に袋詰めされた機密文書であるので、このシステムによった場合は、その廃棄物の機密性の保持は到底望めない。
【０００４】
この点を是正するものとして、回収業者が機密性を有する廃棄物を、施錠された回収箱ごと回収し、そのままリサイクル処理場へ運搬するシステムの提案がある（特許第５０３００４８号公報）。しかし、この提案に係るシステムの場合の機密性保持は、回収箱がリサイクル処理場に運搬されるまでしか確保されておらず、その後のリサイクル処理場内における処理工程における機密性保持については全く配慮されていないので、その間における機密漏洩の可能性を否定することはできない。
【０００５】
また、この提案に係るシステムの場合は、廃棄物中に含まれる可能性のある金属等の硬質物や硬質物の扱いについてまで考えが及んでいないので、仮に、回収してきた廃棄物を無人操作で破砕処理するとした場合、廃棄物に含まれている可能性のある金属等の硬質物によって破砕機が損傷され、その修理に手間とコストがかかるだけでなく、その間処理場における処理機能が停止するという問題が生ずる。
【先行技術文献】
【特許文献】
【０００６】
【特許文献１】特開２００１−３０１９１１号公報
【特許文献２】特許第５０３００４８号公報
【発明の概要】
【発明が解決しようとする課題】
【０００７】
本発明はかかる背景の下になされたもので、機密性を有する廃棄物の処理をシュレッダーを用いることなく効率よく行うことができ、しかも、事業所等における廃棄物の投棄から処理場における処理に至るまでの各工程を、人手を介さずに非接触にて行うことが可能であり、また、当該廃棄物を一切人目に晒すことなくその機密性を保持したまま実施することができ、更に、安全性に対する配慮がなされていて、廃棄物に含まれている可能性のある金属等の硬質物によって破砕機が損傷して処理作業が停滞するおそれがない機密性を有する廃棄物の処理方法及び処理設備を提供することを課題とする。
【課題を解決するための手段】
【０００９】
上記課題を解決するための請求項１に係る発明は、機密性を有する廃棄物を収納した回収容器を施錠した状態で廃棄物処理場内に搬入した後、前記回収容器の解錠から前記廃棄物の破砕処理に至るまでの各処理を人手を介することなく行うための機密性を有する廃棄物の処理設備であって、
前記処理場内において前記回収容器を移送させるための搬送装置と、前記搬送装置によって搬送される前記回収容器を通過させて硬質物の混入をチェックする硬質物探知装置と、前記硬質物探知装置を通過した硬質物を含まない前記回収容器の蓋の鍵穴の位置を検出する鍵穴検出装置と、前記鍵穴検出装置により検出された前記鍵穴の位置データに基づいてヘッドが移動して前記回収容器の解錠を行う解錠ロボットと、解錠した前記回収容器をチャックして破砕機のホッパ上に移送し、その位置で前記回収容器を上下反転させる反転ロボットとを備え、更に、前記破砕機のホッパに、上下反転させた前記回収容器内に風圧をかけるブロワーを配備すると共に、前記破砕機のホッパに、前記ブロワーによって風圧をかけた後の前記回収容器内を撮影し、残存物の有無を確認する残存物の有無確認手段を配備してなり、
前記回収容器は、容体と、廃棄物投入口を有し前記容体にヒンジ止めされている蓋体とからなり、前記蓋は前記容体に対して施錠可能であり、前記容体は前記蓋を被着する開口以外に開口を備えておらず、施錠時において、投入された前記廃棄物の視認や取り出しができないものであり、
前記鍵穴検出装置は、進退移動する可動アームを備えていてその先端に取り付けた画像センサによって前記蓋の鍵穴の位置を検出するものであり、
前記解錠ロボットは、解錠動作に伴う前記回収容器の回転を阻止するための回収容器押止手段を備えたものである
ことを特徴とする機密性を有する廃棄物の処理設備である。
【００１１】
また、上記課題を解決するための請求項２に係る発明は、請求項１に記載の機密性を有する廃棄物の処理設備を用いて、廃棄物を収納した回収容器を施錠した状態で廃棄物処理場内に搬入した後、前記回収容器の解錠から前記廃棄物の破砕処理に至るまでの各処理を人手を介することなく行うための方法であって、
前記回収容器を前記廃棄物処理場内に搬入する回収容器の搬入ステップと、
搬送装置上を搬送されてくる前記回収容器を前記硬質物探知装置を通過させることによって硬質物の混入をチェックする硬質物探知ステップと、
前記回収容器を解錠位置に移送した後、蓋の鍵穴の位置を、前記鍵穴検出装置の可動アームを進退させてその先端に装備された画像センサにより検出する鍵穴の検出ステップと、
検出された前記鍵穴の位置データに基づいてヘッドが移動する解錠ロボットにより、前記解錠ロボットが有する回収容器押止手段によって解錠動作に伴う前記回収容器の回転を阻止しつつ前記回収容器の解錠を行う回収容器の解錠ステップと、
解錠した前記回収容器を反転ロボットでチャックして破砕機のホッパ上に移送し、その位置で前記回収容器を上下反転させてそこに収納されている廃棄物を前記ホッパ内に落下させる廃棄物のホッパ内投入ステップと、
上下反転させた前記回収容器内に風圧をかけて容器内残存物を吹き飛ばし落下させるエアブローステップと、
前記回収容器内残存物の有無をチェックする残存物の有無確認ステップと、
前記回収容器を前記反転ロボットでチャックしたまま起こし、前記解錠位置に戻した後搬出する回収容器の搬出ステップとを含み、
前記回収容器は、容体と、廃棄物投入口を有し前記容体にヒンジ止めされている蓋体とからなり、前記蓋は前記容体に対して施錠可能であり、前記容体は前記蓋を被着する開口以外に開口を備えておらず、施錠時において、投入された前記廃棄物の視認や取り出しができないものであることを特徴とする機密性を有する廃棄物の処理方法である。
【発明の効果】
【００１３】
本発明に係る機密性を有する廃棄物の処理方法及び処理設備は上記のとおりであるので、機密性を有する廃棄物の処分を、シュレッダーを用いることなく且つ人手を介することなく、廃棄物に対して非接触にて効率よく行うことができ、また、利用者の事業所等における廃棄物の投棄から処理場における処理に至るまでの各工程を、当該廃棄物を一切人目に晒すことなくその機密性を保持したまま、安全に実施し得る効果がある。
【００１４】
また、本発明に係る方法の場合は、回収容器を施錠した状態で廃棄物処理場内に搬入した後、最初に、回収容器を硬質物探知装置を通過させることによって金属等の硬質物の混入をチェックするため、廃棄物に含まれている可能性のある金属等の硬質物によって破砕機が損傷し、処理作業が停滞するおそれがないという効果がある。
【図面の簡単な説明】
【００１５】
【図１】本発明に係る機密性を有する廃棄物の処理方法の流れを示すフロー図である。
【図２】本発明に係る機密性を有する廃棄物の処理設備の構成例を示す平面図である。
【図３】本発明に係る機密性を有する廃棄物の処理設備における鍵穴検出装置の構成・作用例を示す斜視図である。
【図４】本発明に係る機密性を有する廃棄物の処理設備における解錠ロボットの構成・作用例を示す斜視図である。
【図５】本発明に係る機密性を有する廃棄物の処理設備における反転ロボットの構成・作用例を示す正面図である。
【図６】本発明に係る機密性を有する廃棄物の処理方法及び処理設備において用いられる回収容器の構成例を示す斜視図である。
【発明を実施するための形態】
【００１６】
本発明を実施するための形態につき、添付図面を参照しつつ詳細に説明する。本発明に係る機密性を有する廃棄物の処理方法は、機密性を有する廃棄物を収納した回収容器を、施錠した状態で廃棄物処理場内に搬入した後、回収容器の解錠から廃棄物の破砕処理に至るまでの各処理を無人で行うための方法である。本発明の一実施形態においては、回収容器を施錠した状態で廃棄物処理場内に搬入した後、最初の工程として、回収容器を硬質物探知装置を通過させることによって金属等の硬質物の混入をチェックすることが大きな特徴となる。
【００１７】
図１は、本発明に係る方法における処理の流れを示すフロー図であり、そこに示されるように本方法は、回収容器を廃棄物処理場内に搬入する回収容器の搬入ステップ（Ｓ１１）と、回収容器を硬質物探知装置を通過させることによって金属等の硬質物の混入をチェックする硬質物探知ステップ（Ｓ１２）と、回収容器を解錠位置に移送した後、蓋の鍵穴の位置を検出する鍵穴検出ステップ（Ｓ１３）と、検出された鍵穴の位置データに基づいてヘッドが移動する解錠ロボットによって、回収容器の蓋の解錠を行う回収容器の解錠ステップ（Ｓ１４）とを含む。
【００１８】
本方法は更に、解錠した回収容器を反転ロボットでチャックして破砕機のホッパ上に移送し、その位置で回収容器を上下反転させてそこに収納されている廃棄物をホッパ内に落下させる廃棄物のホッパ内投入ステップ（Ｓ１５）と、回収容器を反転ロボットでチャックしたまま起こし、解錠位置に戻した後搬出する回収容器の搬出ステップ（Ｓ１８）とを含む。
【００１９】
そして、好ましい実施形態においては、廃棄物のホッパ内投入ステップ（Ｓ１５）の後に、反転させた回収容器内に風圧をかけて容器内残存物を吹き飛ばし落下させるエアブローステップ（Ｓ１６）と、回収容器内に風圧をかけた後に、回収容器内残存物の有無をチェックする残存物の有無確認ステップ（Ｓ１７）とを含む。
【００２０】
本発明に係る機密性を有する廃棄物の処理設備は上記廃棄物の処理方法を実施するためのものであり、蓋が施錠された回収容器を廃棄物処理場内に搬入した後、回収容器の解錠から廃棄物の破砕処理に至るまでの各処理を、人手を介することなく行うための設備である。
【００２１】
本設備は図２に示されるように、廃棄物処理場１内において回収容器２０を移送させるための、通例、コンベアである搬送装置２と、搬送装置２によって搬送されてくる回収容器２０を通過させて硬質物の有無をチェックする硬質物探知装置３と、硬質物探知装置３を通過した硬質物を含まない回収容器２０の蓋２２の鍵穴の位置を検出する鍵穴検出装置４と、鍵穴検出装置４により検出された位置データに基づいてヘッドが移動して回収容器２０の蓋２２の解錠を行う解錠ロボット５と、解錠した回収容器２０をチャックして破砕機のホッパ１０上に移送し、その位置で回収容器２０を上下反転させる反転ロボット６と、を含んで構成される。
【００２２】
好ましい実施形態においては更に、ホッパ１０に、上下反転させた回収容器２０内に風圧をかけるブロワー１１が配備されると共に、ブロワー１１によって風圧をかけた後の回収容器２０内を撮影し、残存物の有無を確認する残存物の有無確認手段（図示してない）が配備される。
【００２３】
本発明において用いる回収容器２０は、キャスター付きの容体２１と蓋２２とから成り、蓋２２はその上面に廃棄物投入口２３を有していて容体２１に対して施錠可能なものである（図６参照）。容体２１は、その内面上部に、投入されて積み重なる廃棄物の最上面位置を観察し、最上面位置が予め設定された所定位置に達したことを検出したときに、設備管理者に対して回収要求を自動送信する移動体通信ユニット２５を備える。
【００２４】
移動体通信ユニット２５は、回収容器２０内に投入されて積み重なる廃棄物の高さを検出する測距センサと、測距センサによって検出される距離データを回収容器２０内に投棄された廃棄物の質量データに変換するデータ変換部と、質量が規定値に達したことの情報を、当該回収容器２０の個体番号と共に設備管理者端末に送信するデータ発信部とで構成される。
【００２５】
容体２１には蓋２２を被着する開口以外に開口がなく、一旦廃棄物投入口２３に投入された廃棄文書類は、蓋２２を解錠して取り外さない限り、視認したり、取り出したりすることができない。なお、機密文書はファイルやホルダーごと投入廃棄でき、また、ステープラー綴じのままであっても差し支えない。
【００２６】
回収容器２０としては、容量の異なるものが数種類用意され、利用者ごとにまちまちである廃棄物の排出量、並びに、排出ペースに対応できるようにされる。本設備の管理者は、予め利用者との契約で、どのサイズの回収容器２０を利用するかを取り決め、選択された回収容器２０を利用者の希望する場所に設置する。そして、移動体通信ユニット２５が、回収容器２０内に投入されて積み重なった廃棄物の最上面位置が予め設定された所定位置に達したことを検出すると、移動体通信ユニット２５から設備管理者サーバーに対して回収要求が自動送信される。この回収要求を受けた設備管理者は、収集運搬業者に対して当該回収容器２０の回収を指示し、この回収指示を受けた収集運搬業者が、利用者を訪問して回収容器２０を回収する。
【００２７】
以下、本発明に係る方法及び設備について、上述した処理ステップごとに、より詳細に説明する。
【００２８】
回収容器の搬入ステップ（Ｓ１１）
回収容器の搬入ステップ（Ｓ１１）は、設備管理者から回収指示を受けた収集運搬業者が利用者を訪問して回収し、運搬してきた蓋２２が施錠された回収容器２０を、処理場１内に搬入する工程である。収集運搬業者は、回収容器２０を運搬車から降ろし、そのまま処理場１内の搬送装置２上に移載する（図２参照）。
【００２９】
硬質物探知ステップ（Ｓ１２）
硬質物探知ステップ（Ｓ１２）は、通例コンベアである搬送装置２上を搬送されてくる回収容器２０を、その搬路を跨ぐように配設されるＸ線検査装置等の硬質物探知装置３を通過させることによって、回収容器２０内における金属等の硬質物の混入をチェックする工程である。この工程において硬質物が探知されなかった回収容器２０は、そのまま搬送装置２によって廃棄処理部に移送されて廃棄処理部の導入コンベア７、７ａ上に移載され、硬質物が探知された回収容器２０は、硬質物の種類に応じて別処理するために、別ルートに回される。本発明に係る方法の場合は、このステップが介在するために、廃棄物に含まれている可能性のある金属等の硬質物によって破砕機が損傷し、処理作業が停滞するという事態が発生するおそれがない。
【００３０】
なお、図示した例においては、導入コンベア７、７ａは２列配備され、一方の導入コンベア７は大・中型の回収容器用とされ、他方の導入コンベア７ａは小型の回収容器用とされる。そして、図示した実施形態においては、各導入コンベア７、７ａの端部に、回収容器２０を昇降させるリフター８が設置され、後述する回収容器２０のホッパ内投入ステップ（Ｓ１５）における反転ロボット６による回収容器２０のチャッキングは、リフター８で上昇させた位置において行われる（図５参照）。
【００３１】
鍵穴検出ステップ（Ｓ１３）
鍵穴検出ステップ（Ｓ１３）は、回収容器２０を導入コンベア７端部の解錠位置に移送した後、蓋２２の鍵穴２４の位置を検出する工程である。鍵穴２４の位置の検出は、導入コンベア７、７ａの端部、換言すれば、リフター８の脇に設置される鍵穴検出装置４によって行われる。鍵穴検出装置４は、例えば、先端部に画像センサ４ａを装備した可動アーム４ｂを装置本体に対して進退可能にして成るもので（図３参照）、可動アーム４ｂの作用で画像センサ４ａが移動して、蓋２２の上面の定位置に配備されている鍵穴２４の位置を検出し、その位置データが、鍵穴検出装置４、解錠ロボット５並びに反転ロボット６等の本設備内の各構成部を制御する制御部９に送られる。
【００３２】
蓋の解錠ステップ（Ｓ１４）
蓋の解錠ステップ（Ｓ１４）は、上記鍵穴検出ステップ（Ｓ１３）において検出された鍵穴２４の位置データに基づいて解錠ロボット５のヘッド５ａが鍵穴２４上に移動し、回収容器２０の蓋２２の鍵を解錠する工程である。通例、解錠ロボット５は、２列の導入コンベア７、７ａの間に配設され、ヘッド５ａが旋回して双方の導入コンベア７、７ａに対応可能なものとされるが、個別に配設することとしてもよい。解錠ロボット５は、そのヘッド５ａに鍵穴２４に対応する共通鍵５ｂを備えていて、解錠位置に移動した後、その共通鍵５ｂが下降して鍵穴２４内に進入し、解錠動作する（図４参照）。
【００３３】
解錠ロボット５は、その解錠動作に伴って回収容器２０が回転することを阻止するための、回収容器押止手段を有する。この押止手段としては、例えば、バキュームリフト機構を採用することができ、その場合は共通鍵５ｂの両側に、昇降するバキュームパッド５ｃが複数配備される（図４参照）。このバキュームリフト機構の場合は、バキュームパッド５ｃが下降して蓋２２の上面に当接し、その部分を吸着することで回収容器２０が回転することを阻止する。
【００３４】
廃棄物排出ステップ（Ｓ１５）
廃棄物排出ステップ（Ｓ１５）は、解錠された回収容器２０を反転ロボット６でチャックして持ち上げ、破砕機のホッパ１０上に移送し、その位置で回収容器２０を上下反転させて、収納されている廃棄物を落下させて排出する工程である。図示した実施形態においては、解錠された回収容器２０はリフター８で所定高さまで上昇させられ、その位置において反転ロボット６のチャック板６ａにより両側からチャックされる（図５参照）。この工程において回収容器２０は、ホッパ１０上において上下反転させられることにより、容体２１にヒンジ止めされている蓋２２が開き、以て、収納されている廃棄物が自重でホッパ１０内に自然落下する。
【００３５】
エアブローステップ（Ｓ１６）
エアブローステップ（Ｓ１６）は、上記廃棄物排出ステップ（Ｓ１５）において廃棄物を自然落下させた後、逆さにした状態の回収容器２０内にブロアー１１で風圧をかけて、容器内残存物を吹き飛ばして落下させる工程である。この工程は、静電気を帯びたり、湿気を帯びたりして回収容器２０の内壁面に付着している可能性のある廃棄物を、エアブローで吹き飛ばして落下させるために行われるものであり、この工程を経ることにより、回収容器２０内の廃棄物はほぼ確実に排出される。
【００３６】
残存物の有無確認ステップ（Ｓ１７）
残存物の有無確認ステップ（Ｓ１７）は、上記エアブローステップ（Ｓ１６）の終了後に、回収容器２０内に残存物が存在するか否かを確認するための工程である。この工程においては、回収容器２０内にブロアー１１で風圧をかけた後、回収容器２０を反転させたまま保持し、通例、ブロワー１２に付設されるカメラで回収容器２０内部を撮影する。そして、その影像データが制御部９に送られて画像解析されることで、残存物の有無が確認される。その結果、残存物が確認された場合は、再度ブロワー１２によるエアブロー処理を行った後、再度残存物の有無の確認処理が行われる。
【００３７】
回収容器の搬出ステップ（Ｓ１８）
回収容器の搬出ステップ（Ｓ１８）は、回収容器２０を起こして解錠位置に戻した後、搬送装置２を介して廃棄物処理場１外に搬出する工程である。この場合回収容器２０は、反転ロボット６の作用で起こされて（横倒し状態にされて）ホッパ１０上から後退させられ、上昇位置にあるリフター８上に戻されて解放される。そして、その後リフター８が下降動作するに伴って解錠位置に戻された後、搬送装置２を介して搬出される。
【００３８】
以上の各ステップを経て処理が完了した段階で、設備管理者から利用者に対して処理完了の通知が発信される。
【００３９】
本発明に係る機密性を有する廃棄物の処理方法及び処理設備は上記のとおりであるので、機密性を有する廃棄物の処分を、シュレッダーを用いることなく且つ人手を介することなく、廃棄物に対して非接触にて効率よく行うことができ、また、利用者の事業所等における廃棄物の投棄から処理場における処理に至るまでの各工程を、当該廃棄物を一切人目に晒すことなくその機密性を保持したまま、安全に実施することができるものであり、産業上の利用性は極めて大である。
【符号の説明】
【００４０】
１            廃棄物処理場
２            搬送装置
３            硬質物探知装置
４            鍵穴検出装置
５            解錠ロボット
６            反転ロボット
７、７ａ      導入コンベア
８            リフター
９            制御盤
１０          ホッパ
１１          ブロワー
２０          回収容器
２１          容体
２２          蓋
２３          廃棄物投入口
２４          鍵穴
２５          移動体通信ユニット
【図１】
0006440263.tif 000002
【図２】
0006440263.tif 000003
【図３】
0006440263.tif 000004
【図４】
0006440263.tif 000005
【図５】
0006440263.tif 000006
【図６】
0006440263.tif 000007